【手続補正書】
【提出日】平成28年4月13日(2016.4.13)
【手続補正１】
【補正対象書類名】特許請求の範囲
【補正対象項目名】全文
【補正方法】変更
【補正の内容】
【特許請求の範囲】
【請求項１】
第１のユーザ機器（ＵＥ）のワイヤレス通信の方法であって、
第２のＵＥに関係するブロードキャスト情報を第３のＵＥから受信することと、
前記ブロードキャスト情報と識別子情報とをＵＥのセットに中継することと、
前記ＵＥのセットにおける各ＵＥから前記識別子情報が受信されたかどうかに基づいて、前記ＵＥのセットにおける各ＵＥが前記ブロードキャスト情報を受信しているかどうかを決定することと、
前記ＵＥのセットにおける各ＵＥが前記ブロードキャスト情報を受信していると決定すると、前記ブロードキャスト情報を中継するのをやめることと
を備える方法。
【請求項２】
前記第１、第２および第３のＵＥは、同じＵＥであり、前記受信することは前記第１のＵＥ内で内部的に起こる、
請求項１に記載の方法。
【請求項３】
前記第２および第３のＵＥは、同じＵＥであり、前記第１のＵＥとは異なる、
請求項１に記載の方法。
【請求項４】
前記ブロードキャスト情報と前記識別子情報とを前記ＵＥのセットにおけるＵＥから受信することをさらに備え、前記第１のＵＥが前記ブロードキャスト情報と前記識別子情報とを前記ＵＥのセットにおける各ＵＥから受信したときに、前記ＵＥのセットにおける各ＵＥは、前記ブロードキャスト情報を受信していると前記第１のＵＥは決定する、
請求項１に記載の方法。
【請求項５】
前記識別子情報は、前記第２のＵＥのためのアイデンティティと、前記第２のＵＥによって生成された前記ブロードキャスト情報のためのバージョンおよびタイムスタンプのうちの少なくとも１つとを備える、
請求項１に記載の方法。
【請求項６】
前記識別子情報は、前記ブロードキャスト情報とともに前記第３のＵＥから受信される、
請求項５に記載の方法。
【請求項７】
前記第１および第２のＵＥは異なるＵＥであり、前記方法は、
前記第２のＵＥに関係する第２のブロードキャスト情報と、前記第２のブロードキャスト情報に関連するバージョンまたはタイムスタンプのうちの少なくとも１つとを第４のＵＥから受信することと、
前記第２のブロードキャスト情報に関連する前記バージョンまたは前記タイムスタンプのうちの前記少なくとも１つ、および前記ブロードキャスト情報に関連する前記タイムスタンプまたは前記バージョンのうちの前記少なくとも１つに基づいて、前記ブロードキャスト情報または前記第２のブロードキャスト情報がより新しいかどうかを決定することと、
より新しいと決定された前記ブロードキャスト情報または前記第２のブロードキャスト情報のうちの１つを中継することと
をさらに備える、請求項６に記載の方法。
【請求項８】
前記第１のＵＥに固有のタグを生成することをさらに備え、前記識別子情報は、前記生成されたタグを備える、
請求項１に記載の方法。
【請求項９】
前記生成されたタグは、前記第１のＵＥの前記アイデンティティと、シーケンス番号、バージョンまたはタイムスタンプのうちの少なくとも１つとを備える、
請求項８に記載の方法。
【請求項１０】
前記第２のＵＥに関係する更新されたブロードキャスト情報を前記第３のＵＥから受信することと、
前記更新されたブロードキャスト情報と更新された識別子情報とを中継することと
をさらに備える、請求項１に記載の方法。
【請求項１１】
ワイヤレス通信のための第１のユーザ機器（ＵＥ）であって、
第２のＵＥに関係するブロードキャスト情報を第３のＵＥから受信するための手段と、
前記ブロードキャスト情報と識別子情報とをＵＥのセットに中継するための手段と、
前記ＵＥのセットにおける各ＵＥから前記識別子情報が受信されたかどうかに基づいて、前記ＵＥのセットにおける各ＵＥが前記ブロードキャスト情報を受信しているかどうかを決定するための手段と、
前記ＵＥのセットにおける各ＵＥが前記ブロードキャスト情報を受信していると決定すると、前記ブロードキャスト情報を中継するのをやめるための手段と
を備える、第１のＵＥ。
【請求項１２】
前記第１、第２および第３のＵＥは同じＵＥであり、前記受信することは前記第１のＵＥ内で内部的に起こる、
請求項１１に記載の第１のＵＥ。
【請求項１３】
前記第２および第３のＵＥは同じＵＥであり、前記第１のＵＥとは異なる、
請求項１１に記載の第１のＵＥ。
【請求項１４】
前記ブロードキャスト情報と前記識別子情報とを前記ＵＥのセットにおけるＵＥから受信するための手段をさらに備え、前記第１のＵＥが前記ブロードキャスト情報と前記識別子情報とを前記ＵＥのセットにおける各ＵＥから受信したときに、前記ＵＥのセットにおける各ＵＥが前記ブロードキャスト情報を受信していると前記第１のＵＥは決定する、請求項１１に記載の第１のＵＥ。
【請求項１５】
前記識別子情報は、前記第２のＵＥのためのアイデンティティと、前記第２のＵＥによって生成された前記ブロードキャスト情報のためのバージョンおよびタイムスタンプのうちの少なくとも１つとを備える、
請求項１１に記載の第１のＵＥ。
【請求項１６】
前記識別子情報は、前記ブロードキャスト情報とともに前記第３のＵＥから受信される、
請求項１５に記載の第１のＵＥ。
【請求項１７】
前記第１および第２のＵＥは異なるＵＥであり、前記第１のＵＥは、
前記第２のＵＥに関係する第２のブロードキャスト情報と、前記第２のブロードキャスト情報に関連するバージョンまたはタイムスタンプのうちの少なくとも１つとを第４のＵＥから受信するための手段と、
前記第２のブロードキャスト情報に関連する前記バージョンまたは前記タイムスタンプのうちの前記少なくとも１つ、および前記ブロードキャスト情報に関連する前記タイムスタンプまたは前記バージョンのうちの前記少なくとも１つに基づいて、前記ブロードキャスト情報または前記第２のブロードキャスト情報がより新しいかどうかを決定するための手段と、
より新しいと決定された前記ブロードキャスト情報または前記第２のブロードキャスト情報のうちの１つを中継するための手段と
をさらに備える、請求項１６に記載の第１のＵＥ。
【請求項１８】
前記第１のＵＥに固有のタグを生成するための手段をさらに備え、前記識別子情報は、前記生成されたタグを備える、
請求項１１に記載の第１のＵＥ。
【請求項１９】
前記生成されたタグは、前記第１のＵＥの前記アイデンティティと、シーケンス番号、バージョンまたはタイムスタンプのうちの少なくとも１つとを備える、
請求項１８に記載の第１のＵＥ。
【請求項２０】
前記第２のＵＥに関係する更新されたブロードキャスト情報を前記第３のＵＥから受信するための手段と、
前記更新されたブロードキャスト情報と更新された識別子情報とを中継するための手段と
をさらに備える、請求項１１に記載の第１のＵＥ。
【請求項２１】
ワイヤレス通信のための第１のユーザ機器（ＵＥ）であって、
メモリと、
前記メモリに結合された少なくとも１つのプロセッサと
を備え、前記少なくとも１つのプロセッサは、
第２のＵＥに関係するブロードキャスト情報を第３のＵＥから受信し、
前記ブロードキャスト情報と識別子情報とをＵＥのセットに中継し、
前記ＵＥのセットにおける各ＵＥから前記識別子情報が受信されたかどうかに基づいて、前記ＵＥのセットにおける各ＵＥが前記ブロードキャスト情報を受信しているかどうかを決定し、
前記ＵＥのセットにおける各ＵＥが前記ブロードキャスト情報を受信していると決定すると、前記ブロードキャスト情報を中継するのをやめる
ように構成される、第１のＵＥ。
【請求項２２】
前記第１、第２および第３のＵＥは同じＵＥであり、前記受信することは前記第１のＵＥ内で内部的に起こる、
請求項２１に記載の第１のＵＥ。
【請求項２３】
前記第２および第３のＵＥは、同じＵＥであり、前記第１のＵＥとは異なる、
請求項２１に記載の第１のＵＥ。
【請求項２４】
前記少なくとも１つのプロセッサは、前記ブロードキャスト情報と前記識別子情報とを前記ＵＥのセットにおけるＵＥから受信するようにさらに構成され、前記少なくとも１つのプロセッサが前記ブロードキャスト情報と前記識別子情報とを前記ＵＥのセットにおける各ＵＥから受信したときに、前記ＵＥのセットにおける各ＵＥが前記ブロードキャスト情報を受信していると前記少なくとも１つのプロセッサは決定する、
請求項２１に記載の第１のＵＥ。
【請求項２５】
前記識別子情報は、前記第２のＵＥのためのアイデンティティと、前記第２のＵＥによって生成された前記ブロードキャスト情報のためのバージョンおよびタイムスタンプのうちの少なくとも１つとを備える、
請求項２１に記載の第１のＵＥ。
【請求項２６】
前記識別子情報は、前記ブロードキャスト情報とともに前記第３のＵＥから受信される、
請求項２５に記載の第１のＵＥ。
【請求項２７】
前記第１および第２のＵＥは異なるＵＥであり、前記少なくとも１つのプロセッサは、
前記第２のＵＥに関係する第２のブロードキャスト情報と、前記第２のブロードキャスト情報に関連するバージョンまたはタイムスタンプのうちの少なくとも１つとを第４のＵＥから受信し、
前記第２のブロードキャスト情報に関連する前記バージョンまたは前記タイムスタンプのうちの前記少なくとも１つ、および前記ブロードキャスト情報に関連する前記タイムスタンプまたは前記バージョンのうちの前記少なくとも１つに基づいて、前記ブロードキャスト情報または前記第２のブロードキャスト情報がより新しいかどうかを決定し、
より新しいと決定された前記ブロードキャスト情報または前記第２のブロードキャスト情報のうちの１つを中継する
ようにさらに構成される、請求項２６に記載の第１のＵＥ。
【請求項２８】
前記少なくとも１つのプロセッサは、前記第１のＵＥに固有のタグを生成するようにさらに構成され、前記識別子情報は前記生成されたタグを備える、
請求項２１に記載の第１のＵＥ。
【請求項２９】
前記少なくとも１つのプロセッサは、
前記第２のＵＥに関係する更新されたブロードキャスト情報を前記第３のＵＥから受信し、
前記更新されたブロードキャスト情報と更新された識別子情報とを中継する
ようにさらに構成される、請求項２１に記載の第１のＵＥ。
【請求項３０】
ワイヤレス通信のためのコンピュータ実行可能コードを記憶する非一時的コンピュータ可読媒体であって、
第２のＵＥに関係するブロードキャスト情報を第３のＵＥから受信することと、
前記ブロードキャスト情報と識別子情報とをＵＥのセットに中継することと、
前記ＵＥのセットにおける各ＵＥから前記識別子情報が受信されたかどうかに基づいて、前記ＵＥのセットにおける各ＵＥが前記ブロードキャスト情報を受信しているかどうかを決定することと、
前記ＵＥのセットにおける各ＵＥが前記ブロードキャスト情報を受信していると決定すると、前記ブロードキャスト情報を中継するのをやめることと
を行うためのコードを備える、非一時的コンピュータ可読媒体。
【手続補正２】
【補正対象書類名】明細書
【補正対象項目名】０１８９
【補正方法】変更
【補正の内容】
【０１８９】
[00210]現在例示的な特徴と考えられることについて例示し説明したが、特許請求する主題から逸脱することなく、様々な他の変更が行われ得、等価物が代用され得ることが、当業者には理解されよう。さらに、本明細書に記載の中心概念から逸脱することなく、特許請求する主題の教示に特定の状況を適合させるために多くの変更が行われ得る。したがって、特許請求する主題は、開示した特定の例に限定されず、そのような特許請求する主題は、添付の特許請求の範囲の範囲内に入るすべての態様、およびその均等物をも含むものとする。
以下に本願発明の当初の特許請求の範囲に記載された発明を付記する。
［Ｃ１］
第１のユーザ機器（ＵＥ）のワイヤレス通信の方法であって、
第２のＵＥに関係するブロードキャスト情報を第３のＵＥから受信することと、
前記ブロードキャスト情報と識別子情報とをＵＥのセットに中継することと、
前記ＵＥのセットにおける各ＵＥから前記識別子情報が受信されたかどうかに基づいて、前記ＵＥのセットにおける各ＵＥが前記ブロードキャスト情報を受信しているかどうかを決定することと、
前記ＵＥのセットにおける各ＵＥが前記ブロードキャスト情報を受信していると決定すると、前記ブロードキャスト情報を中継するのをやめることと
を備える方法。
［Ｃ２］
前記第１、第２および第３のＵＥは、同じＵＥであり、前記受信することは前記第１のＵＥ内で内部的に起こる、
Ｃ１に記載の方法。
［Ｃ３］
前記第２および第３のＵＥは、同じＵＥであり、前記第１のＵＥとは異なる、
Ｃ１に記載の方法。
［Ｃ４］
前記ブロードキャスト情報と前記識別子情報とを前記ＵＥのセットにおけるＵＥから受信することをさらに備え、前記第１のＵＥが前記ブロードキャスト情報と前記識別子情報とを前記ＵＥのセットにおける各ＵＥから受信したときに、前記ＵＥのセットにおける各ＵＥは、前記ブロードキャスト情報を受信していると前記第１のＵＥは決定する、
Ｃ１に記載の方法。
［Ｃ５］
前記識別子情報は、前記第２のＵＥのためのアイデンティティと、前記第２のＵＥによって生成された前記ブロードキャスト情報のためのバージョンおよびタイムスタンプのうちの少なくとも１つとを備える、Ｃ１に記載の方法。
［Ｃ６］
前記識別子情報は、前記ブロードキャスト情報とともに前記第３のＵＥから受信される、
Ｃ５に記載の方法。
［Ｃ７］
前記第１および第２のＵＥは異なるＵＥであり、前記方法は、
前記第２のＵＥに関係する第２のブロードキャスト情報と、前記第２のブロードキャスト情報に関連するバージョンまたはタイムスタンプのうちの少なくとも１つとを第４のＵＥから受信することと、
前記第２のブロードキャスト情報に関連する前記バージョンまたは前記タイムスタンプのうちの前記少なくとも１つ、および前記ブロードキャスト情報に関連する前記タイムスタンプまたは前記バージョンのうちの前記少なくとも１つに基づいて、前記ブロードキャスト情報または前記第２のブロードキャスト情報がより新しいかどうかを決定することと、
より新しいと決定された前記ブロードキャスト情報または前記第２のブロードキャスト情報のうちの１つを中継することと
をさらに備える、Ｃ６に記載の方法。
［Ｃ８］
前記第１のＵＥに固有のタグを生成することをさらに備え、前記識別子情報は、前記生成されたタグを備える、
Ｃ１に記載の方法。
［Ｃ９］
前記生成されたタグは、前記第１のＵＥの前記アイデンティティと、シーケンス番号、バージョンまたはタイムスタンプのうちの少なくとも１つとを備える、
Ｃ８に記載の方法。
［Ｃ１０］
前記第２のＵＥに関係する更新されたブロードキャスト情報を前記第３のＵＥから受信することと、
前記更新されたブロードキャスト情報と更新された識別子情報とを中継することと
をさらに備える、Ｃ１に記載の方法。
［Ｃ１１］
ワイヤレス通信のための第１のユーザ機器（ＵＥ）であって、
第２のＵＥに関係するブロードキャスト情報を第３のＵＥから受信するための手段と、
前記ブロードキャスト情報と識別子情報とをＵＥのセットに中継するための手段と、
前記ＵＥのセットにおける各ＵＥから前記識別子情報が受信されたかどうかに基づいて、前記ＵＥのセットにおける各ＵＥが前記ブロードキャスト情報を受信しているかどうかを決定するための手段と、
前記ＵＥのセットにおける各ＵＥが前記ブロードキャスト情報を受信していると決定すると、前記ブロードキャスト情報を中継するのをやめるための手段と
を備える、第１のＵＥ。
［Ｃ１２］
前記第１、第２および第３のＵＥは同じＵＥであり、前記受信することは前記第１のＵＥ内で内部的に起こる、
Ｃ１１に記載の第１のＵＥ。
［Ｃ１３］
前記第２および第３のＵＥは同じＵＥであり、前記第１のＵＥとは異なる、
Ｃ１１に記載の第１のＵＥ。
［Ｃ１４］
前記ブロードキャスト情報と前記識別子情報とを前記ＵＥのセットにおけるＵＥから受信するための手段をさらに備え、前記第１のＵＥが前記ブロードキャスト情報と前記識別子情報とを前記ＵＥのセットにおける各ＵＥから受信したときに、前記ＵＥのセットにおける各ＵＥが前記ブロードキャスト情報を受信していると前記第１のＵＥは決定する、
Ｃ１１に記載の第１のＵＥ。
［Ｃ１５］
前記識別子情報は、前記第２のＵＥのためのアイデンティティと、前記第２のＵＥによって生成された前記ブロードキャスト情報のためのバージョンおよびタイムスタンプのうちの少なくとも１つとを備える、
Ｃ１１に記載の第１のＵＥ。
［Ｃ１６］
前記識別子情報は、前記ブロードキャスト情報とともに前記第３のＵＥから受信される、
Ｃ１５に記載の第１のＵＥ。
［Ｃ１７］
前記第１および第２のＵＥは異なるＵＥであり、前記第１のＵＥは、
前記第２のＵＥに関係する第２のブロードキャスト情報と、前記第２のブロードキャスト情報に関連するバージョンまたはタイムスタンプのうちの少なくとも１つとを第４のＵＥから受信するための手段と、
前記第２のブロードキャスト情報に関連する前記バージョンまたは前記タイムスタンプのうちの前記少なくとも１つ、および前記ブロードキャスト情報に関連する前記タイムスタンプまたは前記バージョンのうちの前記少なくとも１つに基づいて、前記ブロードキャスト情報または前記第２のブロードキャスト情報がより新しいかどうかを決定するための手段と、
より新しいと決定された前記ブロードキャスト情報または前記第２のブロードキャスト情報のうちの１つを中継するための手段と
をさらに備える、Ｃ１６に記載の第１のＵＥ。
［Ｃ１８］
前記第１のＵＥに固有のタグを生成するための手段をさらに備え、前記識別子情報は、前記生成されたタグを備える、
Ｃ１１に記載の第１のＵＥ。
［Ｃ１９］
前記生成されたタグは、前記第１のＵＥの前記アイデンティティと、シーケンス番号、バージョンまたはタイムスタンプのうちの少なくとも１つとを備える、
Ｃ１８に記載の第１のＵＥ。
［Ｃ２０］
前記第２のＵＥに関係する更新されたブロードキャスト情報を前記第３のＵＥから受信するための手段と、
前記更新されたブロードキャスト情報と更新された識別子情報とを中継するための手段と
をさらに備える、Ｃ１１に記載の第１のＵＥ。
［Ｃ２１］
ワイヤレス通信のための第１のユーザ機器（ＵＥ）であって、
メモリと、
前記メモリに結合された少なくとも１つのプロセッサと
を備え、前記少なくとも１つのプロセッサは、
第２のＵＥに関係するブロードキャスト情報を第３のＵＥから受信し、
前記ブロードキャスト情報と識別子情報とをＵＥのセットに中継し、
前記ＵＥのセットにおける各ＵＥから前記識別子情報が受信されたかどうかに基づいて、前記ＵＥのセットにおける各ＵＥが前記ブロードキャスト情報を受信しているかどうかを決定し、
前記ＵＥのセットにおける各ＵＥが前記ブロードキャスト情報を受信していると決定すると、前記ブロードキャスト情報を中継するのをやめる
ように構成される、第１のＵＥ。
［Ｃ２２］
前記第１、第２および第３のＵＥは同じＵＥであり、前記受信することは前記第１のＵＥ内で内部的に起こる、Ｃ２１に記載の第１のＵＥ。
［Ｃ２３］
前記第２および第３のＵＥは、同じＵＥであり、前記第１のＵＥとは、異なる、
Ｃ２１に記載の第１のＵＥ。
［Ｃ２４］
前記少なくとも１つのプロセッサは、前記ブロードキャスト情報と前記識別子情報とを前記ＵＥのセットにおけるＵＥから受信するようにさらに構成され、前記少なくとも１つのプロセッサが前記ブロードキャスト情報と前記識別子情報とを前記ＵＥのセットにおける各ＵＥから受信したときに、前記ＵＥのセットにおける各ＵＥが前記ブロードキャスト情報を受信していると前記少なくとも１つのプロセッサは決定する、
Ｃ２１に記載の第１のＵＥ。
［Ｃ２５］
前記識別子情報は、前記第２のＵＥのためのアイデンティティと、前記第２のＵＥによって生成された前記ブロードキャスト情報のためのバージョンおよびタイムスタンプのうちの少なくとも１つとを備える、Ｃ２１に記載の第１のＵＥ。
［Ｃ２６］
前記識別子情報は、前記ブロードキャスト情報とともに前記第３のＵＥから受信される、
Ｃ２５に記載の第１のＵＥ。
［Ｃ２７］
前記第１および第２のＵＥは異なるＵＥであり、前記少なくとも１つのプロセッサは、
前記第２のＵＥに関係する第２のブロードキャスト情報と、前記第２のブロードキャスト情報に関連するバージョンまたはタイムスタンプのうちの少なくとも１つとを第４のＵＥから受信し、
前記第２のブロードキャスト情報に関連する前記バージョンまたは前記タイムスタンプのうちの前記少なくとも１つ、および前記ブロードキャスト情報に関連する前記タイムスタンプまたは前記バージョンのうちの前記少なくとも１つに基づいて、前記ブロードキャスト情報または前記第２のブロードキャスト情報がより新しいかどうかを決定し、
より新しいと決定された前記ブロードキャスト情報または前記第２のブロードキャスト情報のうちの１つを中継する
ようにさらに構成される、Ｃ２６に記載の第１のＵＥ。
［Ｃ２８］
前記少なくとも１つのプロセッサは、前記第１のＵＥに固有のタグを生成するようにさらに構成され、前記識別子情報は前記生成されたタグを備える、
Ｃ２１に記載の第１のＵＥ。
［Ｃ２９］
前記少なくとも１つのプロセッサは、
前記第２のＵＥに関係する更新されたブロードキャスト情報を前記第３のＵＥから受信し、
前記更新されたブロードキャスト情報と更新された識別子情報とを中継する
ようにさらに構成される、Ｃ２１に記載の第１のＵＥ。
［Ｃ３０］
第１のＵＥのコンピュータプログラム製品であって、
コンピュータ可読媒体を備え、前記コンピュータ可読媒体は、
第２のＵＥに関係するブロードキャスト情報を第３のＵＥから受信することと、
前記ブロードキャスト情報と識別子情報とをＵＥのセットに中継することと、
前記ＵＥのセットにおける各ＵＥから前記識別子情報が受信されたかどうかに基づいて、前記ＵＥのセットにおける各ＵＥが前記ブロードキャスト情報を受信しているかどうかを決定することと、
前記ＵＥのセットにおける各ＵＥが前記ブロードキャスト情報を受信していると決定すると、前記ブロードキャスト情報を中継するのをやめることと
を行うためのコードを備える、コンピュータプログラム製品。